(57)【要約】【課題】調色に対する違和感を感じさせ難くする。【解決手段】複数の点灯回路部は、複数の光源とそれぞれ各別、かつ、電気的に接続され、光源のそれぞれに供給する出力を調整可能に構成される。制御部は、複数の点灯回路部を制御して出力を調整するように構成される。さらに、制御部は、照明光の光色を、相対的に高い色温度の第１光色と、相対的に低い色温度の第２光色との間で徐々に変化させる際、第１光色に近い範囲では第１の時間変化率で光色を変化させるように構成される。またさらに、制御部は、第２光色に近い範囲では第１の時間変化率よりも小さい第２の時間変化率で光色を変化させるように構成される。【選択図】        図２
2017021952.tif 000002
【特許請求の範囲】
【請求項１】
互いに色温度の異なる光を放射する複数の光源を各別に点灯する複数の点灯回路部と、前記複数の点灯回路部を制御する制御部とを備え、前記複数の光源からそれぞれ放射される光を含む照明光を調色する照明制御装置であって、
複数の前記点灯回路部は、複数の前記光源とそれぞれ各別、かつ、電気的に接続され、前記光源のそれぞれに供給する出力を調整可能に構成され、
前記制御部は、複数の前記点灯回路部を制御して前記出力を調整するように構成され、
さらに、前記制御部は、前記照明光の光色を、相対的に高い色温度の第１光色と、相対的に低い色温度の第２光色との間で徐々に変化させる際、前記第１光色に近い範囲では第１の時間変化率で光色を変化させ、前記第２光色に近い範囲では前記第１の時間変化率よりも小さい第２の時間変化率で前記光色を変化させるように構成されることを特徴とする照明制御装置。
【請求項２】
前記制御部は、前記照明光の光色を前記第１光色と前記第２光色との間で徐々に変化させる際、前記第１光色に近い範囲では、前記複数の点灯回路部の出力を相対的に大きい時間変化率で増減させ、前記第２光色に近い範囲では、前記複数の点灯回路部の出力を相対的に小さい時間変化率で増減させるように構成されることを特徴とする請求項１記載の照明制御装置。
【請求項３】
互いに色温度の異なる光を放射する複数の光源と、請求項１又は２の照明制御装置とを有することを特徴とする照明装置。
【請求項４】
請求項３の照明装置と、少なくとも前記複数の光源を支持する器具本体とを有することを特徴とする照明器具。
【発明の詳細な説明】
【技術分野】
【０００１】
本発明は、照明制御装置、照明装置及び照明器具に関し、より詳細には、照明光を調光及び調色する照明制御装置、当該照明制御装置と光源を有する照明装置、及び当該照明装置を有する照明器具に関する。
【背景技術】
【０００２】
従来例として、特許文献１記載の照明器具を例示する。特許文献１記載の照明器具（照明装置）は、照明光源と、照明光源を点灯する電源ユニット（照明制御装置）とを有する。照明光源は、Ｒ、Ｇ、Ｂの三色の光をそれぞれ放射する３種類の発光素子（発光ダイオード）を有する。電源ユニットは、照明コントローラからの指示に基づいて、３種類の発光素子への給電量を調整することにより、照明光源から放射される照明光を調光及び調色するように構成される。
【０００３】
また、電源ユニットは、相対的に低い色温度の範囲（２２００［Ｋ］〜２７００［Ｋ］）では、色温度を高くする際に色温度の変化率を徐々に大きくする。一方、前記範囲よりも高い色温度の範囲（２７００［Ｋ］〜５０００［Ｋ］）では、電源ユニットは、色温度を高くする際に色温度の変化率を一定にしている。
【先行技術文献】
【特許文献】
【０００４】
【特許文献１】特開２０１５−４１６０２号公報
【発明の概要】
【発明が解決しようとする課題】
【０００５】
ところで、発光ダイオードなどの光源は、一般に、光色（色温度）によって光束が異なっている。例えば、比較的に色温度の高い白色の発光ダイオードの光束に比べて、比較的に色温度の低い電球色の発光ダイオードの光束が小さくなる。そのため、高色温度と低色温度の間で徐々に光色を変化させた（調色した）場合、高色温度側では色温度の変化が知覚され難く、低色温度側では色温度の変化が知覚され易い。ゆえに、照明光が照射される照明空間に居る人は、調色に対して違和感を感じる可能性がある。
【０００６】
本発明は、上記課題に鑑みてなされており、調色に対する違和感を感じさせ難くすることを目的とする。
【課題を解決するための手段】
【０００７】
本発明の照明制御装置は、互いに色温度の異なる光を放射する複数の光源を各別に点灯する複数の点灯回路部と、前記複数の点灯回路部を制御する制御部とを備え、前記複数の光源からそれぞれ放射される光を含む照明光を調色する照明制御装置であって、複数の前記点灯回路部は、複数の前記光源とそれぞれ各別、かつ、電気的に接続され、前記光源のそれぞれに供給する出力を調整可能に構成され、前記制御部は、複数の前記点灯回路部を制御して前記出力を調整するように構成され、さらに、前記制御部は、前記照明光の光色を、相対的に高い色温度の第１光色と、相対的に低い色温度の第２光色との間で徐々に変化させる際、前記第１光色に近い範囲では第１の時間変化率で光色を変化させ、前記第２光色に近い範囲では前記第１の時間変化率よりも小さい第２の時間変化率で前記光色を変化させるように構成されることを特徴とする。
【０００８】
本発明の照明装置は、互いに色温度の異なる光を放射する複数の光源と、照明制御装置とを有することを特徴とする。
【０００９】
本発明の照明器具は、照明装置と、少なくとも前記複数の光源を支持する器具本体とを有することを特徴とする。
【発明の効果】
【００１０】
本発明の照明制御装置、照明装置及び照明器具は、調色に対する違和感を感じさせ難くすることができるという効果がある。
【図面の簡単な説明】
【００１１】
【図１】本実施形態に係る照明装置及び照明制御装置を示す回路図である。
【図２】本実施形態に係る照明装置及び照明制御装置の制御部の動作を説明するための説明図である。
【図３】図３Ａ〜図３Ｃは、本実施形態に係る照明器具を示す斜視図である。
【発明を実施するための形態】
【００１２】
本実施形態に係る照明制御装置、照明装置及び照明器具について、図面を参照して詳細に説明する。なお、以下の実施形態で説明する構成は本発明の一例にすぎない。本発明は、以下の実施形態に限定されず、本発明に係る技術的思想を逸脱しない範囲であれば、設計等に応じて種々の変更が可能である。
【００１３】
本実施形態に係る照明装置Ａは、図１に示すように、光源ユニット１と、照明制御装置２とを有する。光源ユニット１は、第１光源１０と第２光源１１を有する。第１光源１０は、複数（図示は２つ）の第１発光素子１００の直列回路で構成される。第２光源部は、複数（図示は２つ）の第２発光素子１１０の直列回路で構成される。第１発光素子１００は、例えば、白色の光（色温度５０００［Ｋ］の光）を放射する発光ダイオードである。また、第２発光素子１１０は、例えば、電球色の光（色温度３０００［Ｋ］の光）を放射する発光ダイオードである。ただし、第１発光素子１００及び第２発光素子１１０は、有機エレクトロルミネッセンス素子などの発光ダイオード以外の発光素子であってもよい。光源ユニット１は、第１光源１０から放射される白色光、及び第２光源１１から放射される電球色光を照明光として照明空間に照射するように構成される。また、光源ユニット１は、第１光源１０の光量（光束）と第２光源１１の光量（光束）を任意の割合で混合することにより、３０００［Ｋ］〜５０００［Ｋ］の範囲で照明光の光色を調整（調色）可能に構成される。なお、光源ユニット１が有する光源の数は２つに限定されず、３つ以上であっても構わない。また、第１光源１０の光色（色温度）及び第２光源１１の光色（色温度）は一例であって、白色及び電球色以外の光色であっても構わない。
【００１４】
照明制御装置２は、図１に示すように、第１点灯回路部２０、第２点灯回路部２１、制御部２２、電源部２３などを備える。第１点灯回路部２０は、第１光源１０に駆動電流（第１駆動電流）を流すように構成される。第２点灯回路部２１は、第２光源１１に駆動電流（第２駆動電流）を流すように構成される。
【００１５】
電源部２３は、商用の交流電源３から供給される交流電力を直流電力に変換するように構成される。例えば、電源部２３は、入力フィルタ２３０、整流回路２３１並びに力率改善回路２３２で構成されることが好ましい。入力フィルタ２３０は、低域通過フィルタからなり、例えば、交流電源３の電源電圧の周波数（６０［Ｈｚ］及び５０［Ｈｚ］）を通過させて高調波成分を遮断するように構成される。整流回路２３１は、例えば、ダイオードブリッジで構成されることが好ましい。力率改善回路２３２は、昇圧チョッパ回路で構成されることが好ましい。力率改善回路２３２は、電界効果トランジスタからなるスイッチング素子Ｑ２、チョークコイルＬ２、検出抵抗Ｒ２、ダイオードＤ２、平滑コンデンサＣ２、スイッチング素子Ｑ２をスイッチングするドライバ回路２３２０などを有する。ドライバ回路２３２０は、検出抵抗Ｒ２の両端電圧を検出し、スイッチング素子Ｑ２のオンデューティを制御して平滑コンデンサＣ２の両端電圧（出力電圧）を一定にするように構成される。
【００１６】
第１点灯回路部２０は、降圧チョッパ回路で構成されることが好ましい。第１点灯回路部２０は、第１スイッチング素子Ｑ１１、第１インダクタＬ１１、第１ダイオードＤ１１、第１コンデンサＣ１１、第１抵抗Ｒ１１、第１駆動回路２００などを有する。第１スイッチング素子Ｑ１１は、例えば、ｎチャネルのエンハンスメント形ＭＯＳＦＥＴ（電界効果トランジスタ）で構成されることが好ましい。第１スイッチング素子Ｑ１１と第１ダイオードＤ１１と第１抵抗Ｒ１１の直列回路が電源部２３の出力端子間（平滑コンデンサＣ２の両端間）に電気的に接続される。また、第１ダイオードＤ１１のアノード・カソード間に、第１インダクタＬ１１と第１コンデンサＣ１１の直列回路が電気的に接続される。そして、第１コンデンサＣ１１の両端間に第１光源１０が電気的に接続される。第１駆動回路２００は、第１スイッチング素子Ｑ１１のオンデューティを制御することにより、第１抵抗Ｒ１１に流れる第１駆動電流（第１光源１０の駆動電流）を目標値に一致させるように構成される。あるいは、第１駆動回路２００は、第１スイッチング素子Ｑ１１をスイッチングする期間（導通期間）とスイッチングしない期間（休止期間）とを交互に切り替え、かつ、導通期間と休止期間の割合を調整してもよい。
【００１７】
第２点灯回路部２１は、降圧チョッパ回路で構成されることが好ましい。第２点灯回路部２１は、第２スイッチング素子Ｑ１２、第２インダクタＬ１２、第２ダイオードＤ１２、第２コンデンサＣ１２、第２抵抗Ｒ１２、第２駆動回路２１０などを有する。第２スイッチング素子Ｑ１２は、例えば、ｎチャネルのエンハンスメント形ＭＯＳＦＥＴで構成されることが好ましい。第２スイッチング素子Ｑ１２と第２ダイオードＤ１２と第２抵抗Ｒ１２の直列回路が電源部２３の出力端子間に電気的に接続される。また、第２ダイオードＤ１２のアノード・カソード間に、第２インダクタＬ１２と第２コンデンサＣ１２の直列回路が電気的に接続される。そして、第２コンデンサＣ１２の両端間に第２光源１１が電気的に接続される。第２駆動回路２１０は、第２スイッチング素子Ｑ１２のオンデューティを制御することにより、第２抵抗Ｒ１２に流れる第２駆動電流（第２光源１１の駆動電流）を目標値に一致させるように構成される。あるいは、第２駆動回路２１０は、第２スイッチング素子Ｑ１２をスイッチングする導通期間とスイッチングしない休止期間とを交互に切り替え、かつ、導通期間と休止期間の割合を調整してもよい。
【００１８】
制御部２２は、ＣＰＵ（中央演算処理装置）やメモリなどを有するマイクロコントローラで構成されることが好ましい。制御部２２は、メモリに格納されているプログラムがＣＰＵで実行されることにより、第１点灯回路部２０及び第２点灯回路部２１を制御して、照明光を調光及び調色するように構成される。制御部２２は、例えば、調光・調色器と呼ばれるコントローラからコマンドを受信し、当該コマンドで要求される光色に照明光の光色を一致させるように動作することが好ましい。調光・調色器（コントローラ）は、スライド操作式、あるいは回転操作式の入力デバイスを備える。入力デバイスの操作位置が、照明光の光色（色温度）に対応している。つまり、調光・調色器は、人（操作者）に操作される入力デバイスの操作位置に基づき、照明光の光色の指示値を生成し、生成した指示値を含むコマンドを照明制御装置２の制御部２２に出力するように構成される。あるいは、調光・調色器はタイマ制御機能を搭載し、あらかじめ設定された時刻に、照明光の光色の指示値を含むコマンドを照明制御装置２に出力するように構成されてもよい。
【００１９】
制御部２２は、調光・調色器からコマンドを受け取ると、当該コマンドに含まれる光色の指示値（例えば、目標とする照明光の色温度）を、第１駆動電流の目標値及び第２駆動電流の目標値に変換する。例えば、制御部２２は、メモリ（マイクロコントローラが有するメモリ）に保存されているデータテーブルを参照することにより、指示値から目標値への変換を行うことが好ましい。すなわち、このデータテーブルは、調色範囲（３０００［Ｋ］〜５０００［Ｋ］）内における任意の色温度と、当該任意の色温度に対応した第１駆動電流と第２駆動電流の割合との対応関係を表している（表１参照）。例えば、色温度が３０００［Ｋ］の場合、第１駆動電流の目標値を０［％］とし、第２駆動電流の目標値を１００［％］とすればよい。また、色温度が５０００［Ｋ］の場合、第１駆動電流の目標値を１００［％］とし、第２駆動電流の目標値を０［％］とすればよい。さらに、色温度が４０００［Ｋ］の場合、第１駆動電流の目標値及び第２駆動電流の目標値をそれぞれ５０［％］とすればよい。そして、色温度が３０００［Ｋ］よりも高く、かつ、５０００［Ｋ］よりも低い範囲では、第１駆動電流及び第２駆動電流のそれぞれの目標値を０［％］よりも大きく、かつ、１００［％］よりも小さい範囲とすればよい。なお、第１駆動電流の目標値及び第２駆動電流の目標値は、それぞれの定格値を１００［％］として表されている。そして、制御部２２は、変換後の第１駆動電流の目標値を第１駆動回路２００に与え、変換後の第２駆動電流の目標値を第２駆動回路２１０に与える。
【００２０】
【表１】
2017021952.tif 000003
【００２１】
第１駆動回路２００は、第１駆動電流（出力電流）を、制御部２２から受け取った第１駆動電流の目標値に一致させるように、第１スイッチング素子Ｑ１１のオンデューティを制御する。同様に、第２駆動回路２１０は、第２駆動電流（出力電流）を、制御部２２から受け取った第２駆動電流の目標値に一致させるように、第２スイッチング素子Ｑ１２のオンデューティを制御する。このようにして、第１光源１０及び第２光源１１から放射される照明光が、調光・調色器からコマンドで指示された光色に調色される。なお、照明光の光量（明るさ）は、第１駆動電流及び第２駆動電流の合計値で決定される。一方、照明光の光色（色温度）は、第１駆動電流と第２駆動電流の割合で決定される。ゆえに、制御部２２は、第１駆動電流と第２駆動電流の割合を一定に保ったままで第１駆動電流及び第２駆動電流の合計値を増減することにより、光色を一定にして光量のみを変化（調光）することができる。
【００２２】
ここで、制御部２２は、照明光の光色を変更する際、変更前の光色に対応した目標値から変更後の光色に対応した目標値へ段階的に変更することで光色を徐々に変化させることが好ましい。例えば、制御部２２は、色温度５０００［Ｋ］の光色（第１光色）から色温度３０００［Ｋ］の光色（第２光色）に変更する際、数秒（例えば、３秒程度）のフェード時間をかけて光色を段階的に低下させることが好ましい。同様に、制御部２２は、色温度３０００［Ｋ］の光色（第２光色）から色温度５０００［Ｋ］の光色（第１光色）に変更する際、数秒（例えば、３秒程度）のフェード時間をかけて光色を段階的に上昇させることが好ましい。
【００２３】
ただし、従来技術で説明したように、高色温度側では光色の変化が知覚され難く、低色温度側では光色の変化が知覚され易い。そのため、制御部２２は、高色温度側では第１の時間変化率で光色を変化させ、低色温度側では第１の時間変化率よりも小さい第２の時間変化率で光色を変化させることが好ましい。例えば、制御部２２は、図２の曲線α及び曲線βに示すように、第１光色（５０００［Ｋ］）に近い範囲では第１の時間変化率で光色を変化させる。一方、制御部２２は、第２光色（３０００［Ｋ］）に近い範囲では第１の時間変化率よりも小さい第２の時間変化率で光色を変化させる。
【００２４】
例えば、照明光の光色が５０００［Ｋ］に設定されている状況において、制御部２２が、調光・調色器から光色を３５００［Ｋ］に変更する指示を受けた場合を想定する。この場合、制御部２２は、第１駆動電流の目標値を１００．０［％］から２５．０［％］まで段階的に減少させ、かつ、第２駆動電流の目標値を０［％］から７５．０［％］まで段階的に増加させる。ただし、制御部２２は、５０００［Ｋ］から４１００［Ｋ］までは約０．５［秒］で低下させ、４１００［Ｋ］から３５００［Ｋ］までは約１．０［秒］で低下させる（図２の曲線α参照）。つまり、制御部２２は、高色温度側における第１の時間変化率（≒９００［Ｋ］÷０．５［秒］＝１８００［Ｋ／秒］）に対して、低色温度側における第２の時間変化率（≒６００［Ｋ］÷１．０［秒］＝６００［Ｋ／秒］）を小さくする。この例では、制御部２２は、第２の時間変化率を第１の時間変化率の約３分の１としている。
【００２５】
このように、制御部２２は、第１光色（５０００［Ｋ］）に近い範囲では第１の時間変化率（＝１８００［Ｋ／秒］）で光色を変化させる。一方、第２光色（３５００［Ｋ］）に近い範囲では、制御部２２は、第１の時間変化率よりも小さい第２の時間変化率（＝６００［Ｋ／秒］）で光色を変化させる。そのため、照明光が照射される空間に居る人には、第１光色（５０００［Ｋ］）から第２光色（３５００［Ｋ］）まで光色（色温度）がほぼ一定の割合で変化しているように知覚される。その結果、本実施形態に係る照明制御装置２は、調色に対する違和感を感じさせ難くすることができる。
【００２６】
上述のように本実施形態に係る照明制御装置２は、互いに色温度の異なる光を放射する複数の光源（第１光源１０、第２光源１１）を各別に点灯する複数の点灯回路部（第１点灯回路部２０、第２点灯回路部２１）を備える。また、本実施形態に係る照明制御装置２は、複数の点灯回路部を制御する制御部２２を備え、複数の光源からそれぞれ放射される光を含む照明光を調色する照明制御装置である。複数の点灯回路部は、複数の光源とそれぞれ各別、かつ、電気的に接続され、光源のそれぞれに供給する出力を調整可能に構成される。制御部２２は、複数の点灯回路部を制御して出力を調整するように構成される。さらに、制御部２２は、照明光の光色を、相対的に高い色温度の第１光色と、相対的に低い色温度の第２光色との間で徐々に変化させる際、第１光色に近い範囲では第１の時間変化率で光色を変化させるように構成される。またさらに、制御部２２は、第２光色に近い範囲では第１の時間変化率よりも小さい第２の時間変化率で光色を変化させるように構成される。
【００２７】
本実施形態に係る照明制御装置２は上述のように構成され、照明光が照射される空間に居る人に、第１光色から第２光色まで光色（色温度）がほぼ一定の割合で変化しているように知覚させることができる。その結果、本実施形態に係る照明制御装置２は、調色に対する違和感を感じさせ難くすることができる。
【００２８】
また、本実施形態に係る照明制御装置２において、制御部２２は、照明光の光色を第１光色と第２光色との間で徐々に変化させることが好ましい。この際、制御部２２は、第１光色に近い範囲では、複数の点灯回路部（第１点灯回路部２０、第２点灯回路部２１）の出力を相対的に大きい時間変化率で増減させることが好ましい。さらに、制御部２２は、第２光色に近い範囲では、複数の点灯回路部の出力を相対的に小さい時間変化率で増減させるように構成されることが好ましい。
【００２９】
本実施形態に係る照明制御装置２が上述のように構成されれば、光色の時間変化率を容易に変更することができる。
【００３０】
本実施形態に係る照明装置Ａは、互いに色温度の異なる光を放射する複数の光源（第１光源１０、第２光源１１）と、照明制御装置２とを有する。
【００３１】
本実施形態に係る照明装置Ａは上述のように構成されるので、調色に対する違和感を感じさせ難くすることができる。
【００３２】
本実施形態に係る照明器具Ｂについて、図３Ａ〜図３Ｃを参照して詳細に説明する。本実施形態に係る照明器具Ｂは、例えば、図３Ａに示すように、天井に埋込配設されるダウンライトとして構成されることが好ましい。この照明器具Ｂは、光源（第１光源１０と第２光源１１）と照明制御装置２からなる照明装置Ａが収納される器具本体６０と、反射板６１とを備える。器具本体６０の上部には、複数枚の放熱フィン６００が突設されている。また、器具本体６０から導出される電源ケーブル６２が交流電源３と電気的に接続される。
【００３３】
また、本実施形態に係る照明器具Ｂは、図３Ｂ及び図３Ｃに示すように、配線ダクト７に取り付けられるスポットライトとして構成されることが好ましい。図３Ｂに示す照明器具Ｂは、光源（第１光源１０と第２光源１１）と照明制御装置２からなる照明装置Ａが収納される器具本体６３と、反射板６４と、配線ダクト７に装着されるコネクタ部６５と、コネクタ部６５と器具本体６３を結合するアーム部６６とを備える。コネクタ部６５と照明制御装置２が電源ケーブル６７を介して電気的に接続される。
【００３４】
一方、図３Ｃに示す照明器具Ｂは、光源（第１光源１０、第２光源１１）が収納される器具本体６８と、照明制御装置２が収納されるボックス６９とを備えることが好ましい。さらに、この照明器具Ｂは、器具本体６８とボックス６９を連結する連結部７０と、光源１０、１１と照明制御装置２を電気的に接続する電源ケーブル７１とを備えることが好ましい。なお、ボックス６９の天面には、配線ダクト７と着脱可能に電気的かつ機械的に接続されるコネクタ部６９０が設けられる。
【００３５】
上述のように本実施形態に係る照明器具Ｂは、照明装置Ａと、少なくとも複数の光源（第１光源１０、第２光源１１）を支持する器具本体６０、６３、６８とを有する。
【００３６】
本実施形態に係る照明器具Ｂは上述のように構成されるので、調色に対する違和感を感じさせ難くすることができる。
【符号の説明】
【００３７】
Ａ  照明装置
Ｂ  照明器具
２  照明制御装置
１０  第１光源（光源）
１１  第２光源（光源）
２０  第１点灯回路部
２１  第２点灯回路部
２２  制御部
６０  器具本体
６３  器具本体
６８  器具本体
【図１】
2017021952.tif 000004
【図２】
2017021952.tif 000005
【図３】
2017021952.tif 000006